(57)【要約】【課題】施工が容易であり、材料費の低減および工期の短縮を図ることができ、また、施工時には家具や荷物の移動も最小限に済ますことができるため、住人および施工業者の負担を軽減することができる壁面の断熱施工方法を提供する。【解決手段】壁面の断熱施工方法であって、建造物壁面の上部および下部に切り欠き部３ａ，３ｂを形成する第１工程、前記上部切り欠き部３ａおよび下部切り欠き部３ｂを断熱材の飛散を防止するためのネット１０で塞ぐ第２工程、断熱材吹込み用ホース１１の先端が入るように、前記上部切り欠き部を塞いだネットに孔を開ける第３工程、上記孔から断熱材１２を壁の間隙内に吹き込み施工する第４工程、および、前記上部切り欠き部および下部切り欠き部を化粧板４で復旧する第５工程からなる。【選択図】図１
2010084476.tif 000002
【特許請求の範囲】
【請求項１】
建造物壁面の上部および下部に切り欠き部を形成する第１工程、前記上部切り欠き部および下部切り欠き部を断熱材の飛散を防止するためのネットで塞ぐ第２工程、前記上部切り欠き部を塞いだネットに孔を開ける第３工程、上記孔から断熱材吹込み用ホースの先端を差し込んで断熱材を壁の間隙内に吹き込み断熱施工する第４工程、前記上部切り欠き部および下部切り欠き部を壁面形成用材料で復旧する第５工程とからなることを特徴とする壁面の断熱施工方法。
【請求項２】
前記第１工程と第２工程との間に、気流止め施工を行うことを特徴とする請求項１記載の壁面の断熱施工方法。
【請求項３】
前記第１工程と第２工程との間に、防湿施工を行うことを特徴とする請求項１記載の壁面の断熱施工方法。
【請求項４】
前記第１工程と第２工程との間に、気流止めおよび防湿施工を行うことを特徴とする請求項１記載の壁面の断熱施工方法。
【発明の詳細な説明】
【技術分野】
【０００１】
本発明は、住宅等建造物の壁面断熱工法に関し、詳細には、既存の壁面を撤去することなく短期間で施工することのできる壁面断熱工法に関する。
【背景技術】
【０００２】
新築の建物の場合には、特許文献１にも開示されるように、断熱壁の内側空間に繊維系断熱材を吹き込むことが行われる。
【０００３】
一方、既存建造物の壁内側の空間に断熱材が全く入っていないか、あるいは、入っていても５０ｍｍ厚程度の不充分な断熱材の場合があり、この場合には断熱改修施工が行われることがある。従来、既存建造物を断熱化するためには、内壁か外壁のどちらかを撤去し、そこへ断熱材と防湿材の施工を行うか、または、防湿層付き断熱材の施工を行うことが一般的であった。その他、内壁を全面撤去した後にネットを張り、吹込み用断熱材を吹き込んだ後に防湿層を施工することも行われている。
【０００４】
【特許文献１】特開２００６−３４２５１６
【発明の開示】
【発明が解決しようとする課題】
【０００５】
上記の通り、既存壁の断熱改修工法は、建物外周の壁面については、その内壁もしくは外壁の断熱施工予定面をすべて撤去し断熱工事後に改めて壁材を施工する、また、間仕切り壁については、断熱施工予定面の壁のどちらかをすべて撤去し、断熱工事後に改めて壁材を施工する、というのが一般的な工法である。
このような従来工法では、
・  断熱施工前には壁紙、内壁板のような内装材を撤去し、
・  施工後には新たに壁材を貼り付ける必要がある。また、
・  工事に備えて、施工前に部屋内部の家具類、荷物等を移動しておくことも必要である。
上記（１）については、断熱材充填施工のために壁材の断熱施工面全面を撤去しておく必要があり多大な工数を要している。さらに、撤去する壁面が広ければ広いほど工数、費用も増大する。また（２）については、断熱施工面全面が撤去されているため、断熱材施工後に、新たに壁材を張り、内壁の場合には壁紙も貼り付けなければならない。さらに（３）については、工事の際に作業の妨げとならないように、家具類、荷物を退避させなければならない。また、一部の家具類等を残す場合には、工事の際の粉塵などの付着を避けるため覆いを掛ける等の事前の準備が必要となる。
【課題を解決するための手段】
【０００６】
本発明の目的は、施工が容易であり、材料費の低減および工期の短縮を図ることができ、また、施工時には家具や荷物の移動も最小限に済ますことができるため、住人および施工業者の負担を軽減することができる壁面の断熱施工方法を提供することにある。
【０００７】
本発明の壁面の断熱施工方法は、建造物壁面の上部および下部に切り欠き部を形成する第１工程、前記上部切り欠き部および下部切り欠き部を、断熱材の飛散を防止するためのネットで塞ぐ第２工程、断熱材吹込み用ホースの先端が入るように、前記上部切り欠き部を塞いだネットに孔を開ける第３工程、上記孔から断熱材を壁の間隙内に吹き込み施工する第４工程、および、前記上部切り欠き部および下部切り欠き部を壁面形成用材料で復旧する第５工程からなる。
【０００８】
また、必要であれば、前記第１工程と第２工程との間に、気流止め施工、防湿施工のいずれか、または気流止め施工および防湿施工の両方を行うことができる。
【発明の効果】
【０００９】
本発明の断熱施工方法によれば、断熱施工面の一部を切り欠くのみであるため、施工面全面を撤去する従来の工法に比較して断熱材施工の工期を大幅に短縮することができる。また、壁面の復旧についても、壁面の一部であるため復旧に要する時間も短く、新たな材料の使用量も低減できる。
【００１０】
また本発明の断熱施工方法を採用すれば、外壁側から施工する場合には、室内の家具類等の移動のような手間は一切不要となる。また、内壁側から改修を行う場合であっても、壁面の一部を切り欠くのみであるため、すべての家具や荷物を移動する必要はなく最小限に留めることができる。さらに、間仕切り壁の施工の場合も上記内壁側からの改修の場合と同様、すべての家具や荷物を移動するまでの必要はない。
【発明を実施するための最良の形態】
【００１１】
以下に本発明の好適実施例を図に基づいて詳細に説明する。図１は本発明に係る断熱施工方法を適用した側壁の断面図、図２（ａ）は施工前の側壁の断面図、（ｂ）は別実施例を示す（ａ）と同様の図、図３は施工前の側壁を室内側から見た図、図４は防湿シートを内側空間に挿入している状態の断面図、図５は断熱材を内側空間に挿入している状態の断面図である。
【００１２】
側壁１は外壁２および内壁３の間に隙間５を有し、更に内壁３の室内側に化粧板４を合わせた構造になっている。ここで、外壁２及び内壁３によって形成される間隙５は本発明の断熱施工前は空洞である。
【００１３】
本発明の壁面の断熱施工を行うには、まず図２（ａ）及び図３に示すように建造物側壁１の内壁３の上部および下部に切り欠き３ａ，３ｂを形成する。本図においては内壁３の上部切り欠き３ａについては胴差し付近の内壁を、また、下部切り欠き３ｂについては根太付近の内壁を各１００ｍｍ〜３００ｍｍ高さで切り欠いている。切り欠きの上記高さについては断熱材の施工ができる程度であれば良く特に制限はない。また幅方向も、図３に示したように壁幅一杯に切り欠くこともできるが、必要に応じた幅に限定することもできる。
【００１４】
また、図２（ｂ）に示すように５０ｍｍ厚程度の断熱材８で間隙５内をある程度断熱しているものについても本発明方法は適用できる。
【００１５】
次に、間隙５の上部および下部に気流止め６，７を施工する。気流止め６，７の施工は間隙５内の構造によっては省略することができる。この気流止め６，７は間隙５の上下部を塞いで気密層を形成し水蒸気の侵入を防ぐとともに気流通過防止を目的とする。
【００１６】
気流止め施工の例としては、前もって厚切りガラスウールを袋内で圧縮したものを用意し、この袋を切り欠き部３ａ、３ｂから間隙５に押し込んで所定の場所にセットし、その後に袋の口を切る。すると、圧縮されていたグラスウールが復元しようとするため間隙５を埋めて気流止め６，７を形成することができる。
【００１７】
また、必要により図４に示す防湿シート９を施工する。そのために上部切り欠き部３ａから防湿シート９を間隙５内に垂らし、その上端および下端はそれぞれ上部切り欠き部３ａおよび下部切り欠き部３ｂで折り返しておく。防湿シートの先端を下部切り欠き部３ｂ側から引っ張ることでシートの弛みを防ぐことができる。防湿シートの幅は柱と間柱、もしくは間柱−間柱の幅にするか、それらの幅より広くしておく。防湿シートとしては厚さ０．１〜０．２ｍｍ程度のポリエチレンフィルムが適している。また、調湿気密シート「ザバーン」（商標名）も適している。なお、防湿シートの施工に代えて、ポリエチレン０．１ｍｍ厚さと同等以上の防湿機能を有する壁紙を後述の壁復旧後に施工することもできる。
【００１８】
尚、間仕切壁のように外気に接することがない壁については防湿シートの施工を省略することもできる。
【００１９】
また上記気流止め６，７と防湿シートの施工の順序に限定はなくどちらが先でも良い。また、気流止めと防湿シートの両方の機能を持たせるため、片面ポリエチレン、片面ネットの袋を間隙５内に挿入し、その袋に断熱材を吹き込むという手段を採ってもよい。
【００２０】
次に、図５に示すように、上部切り欠き部３ａ及び下部切り欠き部３ｂにネット１０を張り、上部切り欠き部３ａを覆うネット１０には断熱材吹込み用ホース１１の先端が入る孔を開ける。このネット１０は断熱材の飛散を防止するためのものであり、エアーは抜けるがガラスウール等の断熱材は逃げない程度の網目を有しているものであれば特に制限はない。
【００２１】
次に断熱材１２を間隙５内に吹き込む。このように間隙５内を断熱材１２で満たすことによって空隙部がなくなるため側壁１に最大限の断熱性を付与することができる。
【００２２】
ここで、吹込み用断熱材としては施工の容易さと断熱機能の両面からグラスウールかセルロースファイバーを用いることが好ましい。またグラスウールとセルロースファイバーの混合物を使用することも好ましい。これら断熱材には接着剤を付着しておくこともできる。断熱材１２を吹き込んだ後にはホース１１を抜き取り、上記折り返しておいた防湿シート９の端部を内壁３の内側にきちんと張り付ける。
【００２３】
次に切り欠き部３ａおよび３ｂを化粧板４で復旧する。復旧した部分は、目地をコーキング仕上げするなどし、特に、復旧する壁が内壁の場合は、新たな壁紙を全面に施工し直すか、復旧部分を覆い隠せるような周り縁や幅木などを施工することも好ましい。
【００２４】
なお、復旧に際して、上記構造用合板のような強度が高い材質を使用することで、単に塞いで復旧するだけでなく、地震などに対する耐震補強も兼ねることができる。
【００２５】
以上、図１に基づいて外気に面する壁面の内壁側からの断熱施工方法について述べてきたが、外壁側からの断熱施工および外気と遮断された壁面である間仕切壁の断熱施工においても、これまでの説明に基づいて適宜調整することにより本発明の断熱施工を行うことができる。
【図面の簡単な説明】
【００２６】
【図１】本発明に係る断熱施工方法を適用した側壁の断面図
【図２】（ａ）は施工前の側壁の断面図、（ｂ）は別実施例を示す（ａ）と同様の図
【図３】施工前の側壁を室内側から見た図
【図４】防湿シートを内側空間に挿入している状態の断面図
【図５】断熱材を内側空間に挿入している状態の断面図
【符号の説明】
【００２７】
１…側壁、２…側壁を構成する外壁、３…側壁を構成する内壁、３ａ…上部切り欠き部、３ｂ…下部切り欠き部、４…化粧板、５…間隙、６，７…気流止め、８…断熱材、９…防湿シート、１０…ネット、１１…断熱材吹込み用ホース、１２…断熱材。
【図１】
2010084476.tif 000003
【図２】
2010084476.tif 000004
【図３】
2010084476.tif 000005
【図４】
2010084476.tif 000006
【図５】
2010084476.tif 000007